(57)【特許請求の範囲】
【請求項１】
内容器体（１）を、外装容器体（２）に詰め替え自在に収納するようにした詰め替え容器において、
外装容器体（２）に、第一係止部（１５）と第二係止部（１６）とが互いに離間した位置に設けられ、内容器体（１）に、内容器体（１）の外装容器体（２）への収納状態を保持すべく第一係止部（１５）に係脱自在に係合する第一係合部（１９）が、内容器体（１）の第一係合部（１９）に対応する部分を内側に凹ましたときに係合が外れるように設けられ、内容器体（１）に、内容器体（１）の外装容器体（２）への収納状態を保持すべく第二係止部（１６）に係脱自在に係合する第二係合部（２０）が、内容器体（１）の第二係合部（２０）に対応する部分を外側に膨らましたときに係合が外れるように設けられ、内容器体（１）は、内容器体（１）の第一係合部（１９）に対応する部分を内側に凹ましたときに内容器体（１）の第二係合部（２０）に対応する部分が外方に膨らむように弾性変形可能に構成されていることを特徴とする詰め替え容器。
【請求項２】
一端に開口（５）を有する外装容器体（２）と、一端に開口（１０）を有する内容器体（１）とを備え、外装容器体（２）の開口（５）側に内容器体（２）の開口（１０）を位置させるべく内容器体（１）を外装容器体（２）に詰め替え自在に収納するようにした詰め替え容器において、
外装容器体（２）の開口（５）の開口縁部に、第一係止部（１５）と第二係止部（１６）とが互いに離間して設けられ、内容器体（１）の開口縁部に、内容器体（１）の外装容器体（２）への収納状態を保持すべく第一係止部（１５）に係脱自在に係合する第一係合部（１９）が、内容器体（１）の開口縁部の第一係合部（１９）に対応する部分を内側に凹ましたときに係合が外れるように設けられ、内容器体（１）の開口縁部に、内容器体（１）の外装容器体（２）への収納状態を保持すべく第二係止部（１６）に係脱自在に係合する第二係合部（２０）が、内容器体（１）の開口縁部の第二係合部（２０）に対応する部分を外側に膨らましたときに係合が外れるように設けられ、内容器体（１）は、内容器体（１）の第一係合部（１９）に対応する部分を内側に凹ましたときに内容器体（１）の第二係合部（２０）に対応する部分が外方に膨らむように弾性変形可能に構成されていることを特徴とする詰め替え容器。
【請求項３】
内容器体（１）の開口縁部に、内容器体（１）の開口縁から外方突出した環状突出部（１１）と環状突出部（１１）の外端から外装容器体（２）の開口（５）の開口縁部に外嵌するように屈曲した環状外嵌部（１２）とを有する鍔体（１３）が設けられ、前記第一係止部（１５）が、外装容器体（２）の開口（５）の開口縁部に内方に突出するように設けられ、前記第二係止部（１６）が、外装容器体（２）の開口（５）の開口縁部に外方に突出するように設けられ、前記第一係合部（１９）が、内容器体（１）の開口縁部に外方に突出するように設けられ、前記第二係合部（２０）が、前記鍔体（１３）の環状外嵌部（１２）に内方に突出するように設けられていることを特徴とする請求項２に記載の詰め替え容器。
【請求項４】
内容器体（１）の鍔体（１３）の環状外嵌部（１２）に、第一係合部（１９）に対応して押圧操作片（２３）が設けられ、外装容器体（２）の開口（５）の開口縁部に、押圧操作片（２３）に対応して、該押圧操作片（２３）の内方への移動を許すように凹部（２４）が設けられていることを特徴とする請求項２又は３に記載の詰め替え容器。
【請求項５】
前記第一係止部（１５）が、互いに対向するように外装容器体（２）に一対設けられ、前記第二係止部（１６）が、互いに対向しかつ前記一対の第一係止部（１５）間の中間部に位置するように外装容器体（２）に一対設けられ、前記第一係合部（１９）が、前記一対の第一係止部（１５）に対応して内容器体（１）に一対設けられ、前記第二係合部（２０）が、前記一対の第二係止部（１６）に対応して内容器体（１）に一対設けられていることを特徴とする請求項１〜４のいずれかに記載の詰め替え容器。
【請求項６】
内容器体（１）を、外装容器体（２）に詰め替え自在に収納するようにした詰め替え容器において、
外装容器体（２）に、第二係止部（１６）が設けられ、内容器体（１）に、内容器体（１）の外装容器体（２）への収納状態を保持すべく第二係止部（１６）に係脱自在に係合する第二係合部（２０）が、内容器体（１）の第二係合部（２０）に対応する部分を外側に膨らましたときに係合が外れるように設けられていることを特徴とする詰め替え容器。
【請求項７】
内容器体（１）と外装容器体（２）との間に、内容器体（１）の第二係合部（２０）に対応する部分が外方に膨らむように弾性変形するのを許す間隙（２６）が設けられていることを特徴とする請求項１〜６のいずれかに記載の詰め替え容器。
【請求項８】
前記第一係止部（１５）は、外装容器体（２）に鉤形に内方突出するように形成され、前記第一係合部（１９）は、内容器体（１）に鉤形に外方突出するように形成されて、内容器体（１）を外装容器体（２）に収納する際に、第一係合部（１９）が第一係止部（１５）を上から下に乗り越えて、第一係合部（１９）は内側から第一係止部（１５）に係脱自在に係合するように構成されていることを特徴とする請求項１〜７のいずれかに記載の詰め替え容器。
【請求項９】
前記第二係止部（１６）は、外装容器体（２）に鉤形に外方突出するように形成され、前記第二係合部（２０）は、内容器体（１）に鉤形に内方に突出するように形成されて、内容器体（１）を外装容器体（２）に収納する際に、第二係合部（２０）が第二係止部（１６）を上から下に乗り越えて、第二係合部（２０）は第二係止部（１６）に外側から係脱自在に係合するように構成されていることを特徴とする請求項１〜８のいずれかに記載の詰め替え容器。
【請求項１０】
前記第一係止部（１５）は、外装容器体（２）の内周面の一部で形成され、前記第一係合部（１９）は、第一係止部（１５）に対して内側から対向する面状に形成されて、内容器体（１）を外装容器体（２）に収納した際に内容器体（１）の外装容器体（２）への収納状態を保持すべく第一係合部（１９）が第一係止部（１５）に押圧接当するように構成されていることを特徴とする請求項１〜７のいずれかに記載の詰め替え容器。
【請求項１１】
前記第二係止部（１６）は、外装容器体（２）の外周面の一部で形成され、前記第二係合部（２０）は、第二係止部（１６）に対して外側から対向する面状に形成されて、内容器体（１）を外装容器体（２）に収納した際に内容器体（１）の外装容器体（２）への収納状態を保持すべく第二係合部（２０）が第二係止部（１６）に押圧接当するように構成されていることを特徴とする請求項１〜７又は１０のいずれかに記載の詰め替え容器。
【発明の詳細な説明】
【０００１】
【発明の属する技術分野】
本発明は、内容器体を、外装容器体に詰め替え自在に収納するようにした詰め替え容器に関する。
【０００２】
【従来の技術】
内容器体を、外装容器体に詰め替え自在に収納するようにした詰め替え容器には、図２３に示すように、上端に内容物取出用の開口５１が設けられた内容器体５２と、内容器体５２を収納する外装容器体５３とを備え、外装容器体５３に、内容器体５２の挿入を可能とする下端開口５４を設けると共に、外装容器体５３の下部に、下端開口５４を着脱自在に塞ぐように底蓋５５を設けるようにしたものがある（例えば実開平６−８２３１）。
【０００３】
【発明が解決しようとする課題】
従って、従来のこの種の詰め替え容器の場合、外装容器体５３の口部５６の上端開口５７を着脱自在に塞ぐキャップ５８の他に、外装容器体５３の下端開口５４を着脱自在に塞ぐ底蓋５５が必要であり、しかも底蓋５５に雄ねじ５９を形成すると共に、外装容器体５３の下端部に雌ねじ６０を形成しなければならず、それだけ構成部材が増えて構造も複雑になり、製造が面倒で製造費も高く付いた。また、底蓋５５が必要であるため、詰め替え容器の外観上の体裁も悪くなった。
【０００４】
本発明は上記問題点に鑑み、部材が少なくて済んで構造が簡単で製造容易でかつ安価に提供することができ、しかも外観上の体裁もよい詰め替え用容器を提供することを目的とする。
【０００５】
【課題を解決するための手段】
この技術的課題を解決するための本発明の第１の技術的手段は、内容器体１を、外装容器体２に詰め替え自在に収納するようにした詰め替え容器において、
外装容器体２に、第一係止部１５と第二係止部１６とが互いに離間した位置に設けられ、内容器体１に、内容器体１の外装容器体２への収納状態を保持すべく第一係止部１５に係脱自在に係合する第一係合部１９が、内容器体１の第一係合部１９に対応する部分を内側に凹ましたときに係合が外れるように設けられ、内容器体１に、内容器体１の外装容器体２への収納状態を保持すべく第二係止部１６に係脱自在に係合する第二係合部２０が、内容器体１の第二係合部２０に対応する部分を外側に膨らましたときに係合が外れるように設けられ、内容器体１は、内容器体１の第一係合部１９に対応する部分を内側に凹ましたときに内容器体１の第二係合部２０に対応する部分が外方に膨らむように弾性変形可能に構成されている点にある。
【０００６】
従って、内容器体１を外装容器体２に収納する場合、第一係合部１９の第一係止部１５への係合及び第二係合部２０の第二係止部１６への係合によって、内容器体１は外装容器体２から不測に外れないように外装容器体２に強固に収納保持される。内容器体１を外装容器体２から取り外す場合、内容器体１の第一係合部１９に対応する部分を内側に凹ますと共に、内容器体１の第二係合部２０に対応する部分を外方に膨らむように弾性変形させて、第一係合部１９の第一係止部１５への係合と第二係合部２０の第二係止部１６への係合とを同時に簡単に外すことができ、内容器体１を外装容器体２から簡単に取り出すことが可能になる。このため、従来のように底蓋を設ける必要がなくなり、構成部材が少なくて済む。
【０００７】
本発明の第２の技術的手段は、一端に開口５を有する外装容器体２と、一端に開口１０を有する内容器体１とを備え、外装容器体２の開口５側に内容器体２の開口１０を位置させるべく内容器体１を外装容器体２に詰め替え自在に収納するようにした詰め替え容器において、
外装容器体２の開口５の開口縁部に、第一係止部１５と第二係止部１６とが互いに離間して設けられ、内容器体１の開口縁部に、内容器体１の外装容器体２への収納状態を保持すべく第一係止部１５に係脱自在に係合する第一係合部１９が、内容器体１の開口縁部の第一係合部１９に対応する部分を内側に凹ましたときに係合が外れるように設けられ、内容器体１の開口縁部に、内容器体１の外装容器体２への収納状態を保持すべく第二係止部１６に係脱自在に係合する第二係合部２０が、内容器体１の開口縁部の第二係合部２０に対応する部分を外側に膨らましたときに係合が外れるように設けられ、内容器体１は、内容器体１の第一係合部１９に対応する部分を内側に凹ましたときに内容器体１の第二係合部２０に対応する部分が外方に膨らむように弾性変形可能に構成されている点にある。
【０００８】
従って、上記の場合と同様に、第一係合部１９の第一係止部１５への係合及び第二係合部２０の第二係止部１６への係合によって、内容器体１は外装容器体２から不測に外れないように外装容器体２に強固に収納保持される。また、内容器体１を外装容器体２から簡単に取り出すことが可能になる。従って、従来のように底蓋を設ける必要がなくなり、底蓋が不要で構成部材が少なくて済む。
本発明の第３の技術的手段は、内容器体１の開口縁部に、内容器体１の開口縁から外方突出した環状突出部１１と環状突出部１１の外端から外装容器体２の開口５の開口縁部に外嵌するように屈曲した環状外嵌部１２とを有する鍔体１３が設けられ、前記第一係止部１５が、外装容器体２の開口５の開口縁部に内方に突出するように設けられ、前記第二係止部１６が、外装容器体２の開口５の開口縁部に外方に突出するように設けられ、前記第一係合部１９が、内容器体１の開口縁部に外方に突出するように設けられ、前記第二係合部２０が、前記鍔体１３の環状外嵌部１２に内方に突出するように設けられている点にある。
【０００９】
従って、内容器体１を外装容器体２に収納する場合、内容器体１の鍔体１３を外装容器体２の開口縁部に外嵌させるように内容器体１を外装容器体２に対して押し込めばよく、内容器体１の鍔体１３の外装容器体２の開口縁部への外嵌、第一係合部１９の第一係止部１５への係合及び第二係合部２０の第二係止部１６への係合によって、内容器体１は外装容器体２から不測に外れないように外装容器体２に強固に収納保持される。
本発明の第４の技術的手段は、内容器体１の鍔体１３の環状外嵌部１２に、第一係合部１９に対応して押圧操作片２３が設けられ、外装容器体２の開口５の開口縁部に、押圧操作片２３に対応して、該押圧操作片２３の内方への移動を許すように凹部２４が設けられている点にある。
【００１０】
従って、内容器体１を外装容器体２から取り外す場合、押圧操作片２３を押圧操作することにより、内容器体１の第一係合部１９に対応する部分を内側に凹ますことができると共に、内容器体１の第二係合部２０に対応する部分を外側に膨らませることができ、第一係合部１９の第一係止部１５への係合及び第二係合部２０の第二係止部１６への係合を、押圧操作片２３の押圧操作により非常に簡単に取り外すことができる。
本発明の第５の技術的手段は、前記第一係止部１５が、互いに対向するように外装容器体２に一対設けられ、前記第二係止部１６が、互いに対向しかつ前記一対の第一係止部１５間の中間部に位置するように外装容器体２に一対設けられ、前記第一係合部１９が、前記一対の第一係止部１５に対応して内容器体１に一対設けられ、前記第二係合部２０が、前記一対の第二係止部１６に対応して内容器体１に一対設けられている点にある。
【００１１】
従って、内容器体１を外装容器体２に収納する場合、一対の第一係合部１９の一対の第一係止部１５への係合及び一対の第二係合部２０の一対の第二係止部１６への係合によって、内容器体１は外装容器体２から不測に外れないように外装容器体２に強固に収納保持される。
本発明の第６の技術的手段は、内容器体１を、外装容器体２に詰め替え自在に収納するようにした詰め替え容器において、
外装容器体２に、第二係止部１６が設けられ、内容器体１に、内容器体１の外装容器体２への収納状態を保持すべく第二係止部１６に係脱自在に係合する第二係合部２０が、内容器体１の第二係合部２０に対応する部分を外側に膨らましたときに係合が外れるように設けられている点にある。
【００１２】
従って、内容器体１の第二係合部２０に対応する部分を外側に膨らますことにより、第二係合部２０の第二係止部１６への係合を簡単かつ確実に外すことができる。
本発明の第７の技術的手段は、内容器体１と外装容器体２との間に、内容器体１の第二係合部２０に対応する部分が外方に膨らむように弾性変形するのを許す間隙２６が設けられている点にある。
従って、内容器体１と外装容器体２との間に設けた間隙２６によって、内容器体１の第二係合部２０に対応する部分をスムーズに外方に膨らませることができるようになり、第二係合部２０の第二係止部１６への係合を簡単かつ確実に外すことができる。
【００１３】
本発明の第８の技術的手段は、前記第一係止部１５は、外装容器体２に鉤形に内方突出するように形成され、前記第一係合部１９は、内容器体１に鉤形に外方突出するように形成されて、内容器体１を外装容器体２に収納する際に、第一係合部１９が第一係止部１５を上から下に乗り越えて、第一係合部１９は内側から第一係止部１５に係脱自在に係合するように構成されている点にある。
本発明の第９の技術的手段は、前記第二係止部１６は、外装容器体２に鉤形に外方突出するように形成され、前記第二係合部２０は、内容器体１に鉤形に内方に突出するように形成されて、内容器体１を外装容器体２に収納する際に、第二係合部２０が第二係止部１６を上から下に乗り越えて、第二係合部２０は第二係止部１６に外側から係脱自在に係合するように構成されている点にある。
【００１４】
本発明の第１０の技術的手段は、前記第一係止部１５は、外装容器体２の内周面の一部で形成され、前記第一係合部１９は、第一係止部１５に対して内側から対向する面状に形成されて、内容器体１を外装容器体２に収納した際に内容器体１の外装容器体２への収納状態を保持すべく第一係合部１９が第一係止部１５に押圧接当するように構成されている点にある。
本発明の第１１の技術的手段は、前記第二係止部１６は、外装容器体２の外周面の一部で形成され、前記第二係合部２０は、第二係止部１６に対して外側から対向する面状に形成されて、内容器体１を外装容器体２に収納した際に内容器体１の外装容器体２への収納状態を保持すべく第二係合部２０が第二係止部１６に押圧接当するように構成されている点にある。
【００１５】
【発明の実施の形態】
以下、本発明の実施の形態について図を参照しながら説明する。
図１〜図６において、詰め替え容器は、内容物を収納する内容器体１と、内容器体１を詰め替え自在に収納する外装容器体２とを備える。
外装容器体２は、瓶、缶又は合成樹脂等で円筒状に形成され、外装容器体２の上端部に肩部３を介して口部４が設けられ、口部４の上端に開口５が設けられている。口部４上端の開口縁部に周方向全周に亘って肉薄に形成された環状凸部６が設けられている。
【００１６】
なお、口部４の外周に雄ねじ７が形成され、この口部４に雄ねじ７を介して図示省略のキャップが着脱自在に螺合されるようになっている。
内容器体１は、弾性を有するアルミや合成樹脂等により上端開口１０を有する円筒状に形成されている。内容器体１の開口縁部に、内容器体１の開口縁から外方突出した環状突出部１１と環状突出部１１の外端から外装容器体２の開口縁部の環状凸部６に外嵌するように下方に屈曲した環状外嵌部１２とを有する鍔体１３が設けられている。
【００１７】
前記内容器体２は、外装容器体２の口部４の開口５から外装容器体２内に挿入されて、外装容器体２の開口５側に内容器体２の開口１０が位置するように内容器体１が外装容器体２に詰め替え自在に収納され、このとき内容器体１の鍔体１３が外装容器体２の環状凸部６に上から外嵌するように構成されている。
外装容器体２の開口縁部の環状凸部６に、図７及び図９にも示すように一対の第一係止部１５が、径方向に互いに対向して設けられている。この各第一係止部１５は鉤形に内方突出するように形成されている。外装容器体２の開口縁部の環状凸部６に、図８及び図１０にも示すように一対の第二係止部１６が、径方向に互いに対向して設けられている。この各第二係止部１６は、鉤形に外方突出するように形成され、一対の第一係止部１６間の中間部に夫々位置するように設けられている。
【００１８】
内容器体１の開口縁部に、図７及び図９にも示すように一対の第一係合部１９が夫々外装容器体２の各第一係止部１５に対応して設けられている。この各第一係合部１９は、鉤形に外方突出するように形成されており、内容器体１を外装容器体２に収納する際に、内容器体１の開口縁部等の弾性変形によって、各第一係合部１９が一対の第一係止部１５を上から下に乗り越えて、各第一係合部１９は内側から第一係止部１５に係脱自在に係合し、この係合により内容器体１の外装容器体１への収納状態を保持するようになっている。そして、第一係合部１９が第一係止部１５に対して内側から係合しているため、内容器体１の第一係合部１９に対応する部分を内側に凹ましたとき第一係合部１９の第一係止部１５への係合が外れるようになっている。
【００１９】
前記鍔体１３の環状外嵌部１２に、図８及び図１０にも示すように一対の第二係合部２０が、夫々外装容器体２の各第二係止部１６に対応して設けられている。この各第二係合部２０は鉤形に内方に突出するように形成されており、内容器体１を外装容器体２に収納する際に、内容器体１の開口縁部等の弾性変形によって、各第二係合部２０が一対の第二係止部１６を上から下に乗り越えて、各第二係合部２０は第二係止部１６に外側から係脱自在に係合し、この係合により内容器体１の外装容器体２への収納状態を保持するようになっている。そして、第二係合部２０が第二係止部１６に対して外側から係合しているため、内容器体９の第二係合部２０に対応する部分を外側に膨らましたとき第二係合部２０の第二係止部１６への係合が外れるようになっている。
【００２０】
内容器体１は、前述の如く弾性を有するアルミや合成樹脂等で形成されており、該内容器体１の一対の第一係合部１９に対応する部分を内側に凹ましたとき内容器体１の一対の第二係合部２０に対応する部分が外方に膨らむように弾性変形可能に構成されている。
内容器体１の鍔体１３の環状外嵌部１２に、図７及び図９にも示すように一対の押圧操作片２３が各第一係合部１９に対応して下方突設され、外装容器体２の開口縁部に、押圧操作片２３に対応して凹部２４が一対設けられ、これにより押圧操作部２３と外装容器体２の開口縁部との間に間隙２５を形成して押圧操作片２３の内方への押圧操作を許すようになっている。一対の押圧操作片２３は、互いに内容器体１の径方向に対応した位置にある。一対の凹部２４は、互いに外装容器体２の径方向に対応した位置にある。また、内容器体１と外装容器体２との間に、内容器体１の第二係合部２０に対応する部分が外方に膨らむように弾性変形するのを許すための間隙２６が設けられている。
【００２１】
従って、一対の押圧操作片２３を、指で押圧操作片２３間が接近するように挟持することにより、内容器体１の上側を弾性変形させて、内容器体１の各第一係合部１９に対応する部分を内側に凹ますことができると共に、内容器体１の各第二係合部２０に対応する部分を外側に膨らませることができるように構成されている。
上記実施の形態によれば、内容器体１を外装容器体２に収納保持する場合、内容器体１を外装容器体２の開口５から挿入して、内容器体１の押圧操作片２３の凹部２４に一致させるように、内容器体１を外装容器体２に内嵌させ、内容器体１の鍔体１３を外装容器体２の開口縁部の環状凸部６に外嵌させるように内容器体１を外装容器体２に対して押し込めばよく、内容器体１の開口縁部等の弾性変形によって、各第一係合部１９が一対の第一係止部１５を上から下に乗り越えて、各第一係合部１９は内側から第一係止部１５に係脱自在に係合し、この係合により内容器体１の外装容器体１への収納状態を保持するようになっている。また、内容器体１の開口縁部等の弾性変形によって、各第二係合部２０が一対の第二係止部１６を上から下に乗り越えて、各第二係合部２０は第二係止部１６に外側から係脱自在に係合し、この係合により内容器体１の外装容器体２への収納状態を保持するようになっている。
【００２２】
従って、内容器体１を外装容器体２に収納保持する際には、第一係合部１９の第一係止部１５への係合及び第二係合部２０の第二係止部１６への係合によって、内容器体１は外装容器体２から不測に外れないように外装容器体２に強固に収納保持される。
次に、内容器体１を外装容器体２から取り外す場合、一対の押圧操作片２３を、指で押圧操作片２３間が接近するように挟持することにより、内容器体１の上側が弾性変形して、図１１、図１３及び図１４に示す如く第一係合部１９間が互いに接近するように内容器体１の第一係合部１９に対応する部分が内側に凹むと共に、図１２、図１３及び図１５に示す如く第二係合部２０間が互いに離間するように内容器体１の第二係合部２０に対応する部分が外側に膨む。
【００２３】
そして、内容器体１の第一係合部１９に対応する部分が内側に凹むことにより第一係合部１９の第一係止部１５への係合が外れ、内容器体９の第二係合部２０に対応する部分が外側に膨らむことにより第二係合部２０の第二係止部１６への係合が外れる。
従って、第一係合部１９の第一係止部１５への係合及び第二係合部２０の第二係止部１６への係合を、一対の押圧操作片２３を指で挟持するというワンタッチの簡単な操作で外すことができ、その後は、内容器体１を外装容器体２の開口５から上方に抜き取ればよく、内容器体１を外装容器体２から非常に簡単に取り外すことができる。
【００２４】
図１６は他の実施形態を示し、外装容器体２の周方向における第一係止部１５に対応する位置に、内容器体１と外装容器体２との間隙２６を埋めるようにガタ付き防止用凸部２９を設け、これにより内容器体１を外装容器体２に収納した際に内容器体１が外装容器体２に対してガタ付かないようにしたものである。なお、内容器体１を外装容器体２から取り外す場合、内容器体１の第一係合部１９に対応する部分を内側に凹まして、第一係合部１９の第一係止部１５への係合を外すため、第一係合部１９の第一係止部１５への係合を外す際に、前記ガタ付き防止凸部２９が邪魔になるようなことはない。
【００２５】
図１７は他の実施形態を示し、外装容器体２の底部に、外装容器体２と内容器体１との間の間隙２６を埋めるようにガタ付き防止用凸部３０を、外装容器体２の底部に全周に亘るように設け、これにより、内容器体１を外装容器体２に収納した際に内容器体１の底部が位置決め用凸部３０を介して外装容器体２の底部に密嵌合するようにして、内容器体１を外装容器体２に収納した際に内容器体１が外装容器体２に対してガタ付かないようにしたものである。
前記実施形態では、図７に示す如く第一係止部１５を鉤形に形成すると共に、第一係合部１９を鉤形に形成し、この第一係合部１９を第二係止部１６に下側から係合させるようにしているが、これに代え、図１８に示す如く内容器体１を外装容器体２に収納した際に第一係合部１９を第一係止部１５に単に押圧接当させるようにし、この第一係合部１９と第一係止部１５との押圧接当により、内容器体１の外装容器体２への収納状態を保持すべく第一係止部１５に第一係合部１９を係脱自在に係合するようにしてもよい。
【００２６】
また、前記実施形態では、図８に示す如く第二係止部１６を鉤形に形成すると共に、第二係合部２０を鉤形に形成し、この第二係合部２０を第二係止部１６に下側から係合させるようにしているが、これに代え、図１９に示す如く内容器体１を外装容器体２に収納した際に第二係合部２０を第二係止部１６に単に押圧接当させるようにし、この第二係合部２０と第二係止部１６との押圧接当により、内容器体１の外装容器体２への収納状態を保持すべく第二係止部１６に第二係合部２０を係脱自在に係合するようにしてもよい。
【００２７】
図２０は他の実施の形態を示し、内容器体１の開口縁部に、外装容器体２の第二係止部１６に対応して傾斜案内部３５を設け、押圧操作片２３を押圧操作して係合を外すと同時に、傾斜案内部３５が環状凸部６を摺動することによって内容器体１を外装容器体２に対して少し上に押し上げるようにし、これにより内容器体１の取り外しをより簡単かつ確実になし得るようにたものである。その他の点は前記実施の形態と同様な構成である。
図２１は他の実施の形態を示し、内容器体１の鍔体１３に、外装容器体２の第一係止部１５に対応して傾斜案内部３６を設け、押圧操作片２３を押圧操作して係合を外すと同時に、傾斜案内部３６が環状凸部６を摺動することによって内容器体１を外装容器体２に対して少し上に押し上げるようにし、これにより内容器体１の取り外しをより簡単かつ確実になし得るようにたものである。その他の点は前記実施の形態と同様な構成である。
【００２８】
図２２は他の実施の形態を示し、外装容器体２の凹部２４に、内容器体１の押圧操作片２３に対応して傾斜案内部３７を設け、押圧操作片２３を押圧操作して係合を外すと同時に、押圧操作片２３が傾斜案内部３７を摺動することによって内容器体１を外装容器体２に対して少し上に押し上げるようにし、これにより内容器体１の取り外しをより簡単かつ確実になし得るようにたものである。その他の点は前記実施の形態と同様な構成である。
なお、前記実施の形態では、第一係止部１５及び第二係止部１６を外装容器体２に夫々一対ずつ設けているが、第一係止部１５及び第二係止部１６を設ける個数は一対に限定されず、外装容器体２に第一係止部１５及び第二係止部１６を一個ずつ又は３個以上ずつ設けるようにしてもよいし、第一係止部１５の個数と第二係止部１６の個数が互いに異なっていてもよい。
【００２９】
また、前記実施の形態では、第一係合部１９及び第二係合部２０を内容器体１に夫々一対ずつ設けているが、第一係合部１９及び第二係合部２０を設ける個数は一対に限定されず、内容器体１に第一係合部１９及び第二係合部２０を一個ずつ又は３個以上ずつ設けるようにしてもよいし、第一係合部１９の個数と第二係合部２０の個数が互いに異なっていてもよい。
また、前記実施の形態では、内容器体１及び外装容器体２は円筒形に形成されているが、内容器体１及び外装容器体２は円筒形に限らず、三角、四角等の角筒形、楕円筒形その他の形状であってもよいことは勿論である。
【００３０】
【発明の効果】
本発明によれば、従来のように底蓋を設けることなく内容器体１を外装容器体２に不測に外れるおそれもなく強固に収納保持することができると共に、内容器体１を外装容器体２に対して簡単に取り外すこともできるため、底蓋が不要で構成部材が少なくて済み、構造簡単にして製造容易でかつ安価に提供することができ、しかも外観上の体裁もよくなる。
【図面の簡単な説明】
【図１】  本発明の一実施の形態を示す容器の側面断面図である。
【図２】  同容器の正面断面図である。
【図３】  同容器の平面図である。
【図４】  同外装容器体の半欠斜視断面図である。
【図５】  同内容器体の半欠斜視断面図である。
【図６】  同図１のＡ−Ａ線断面図である。
【図７】  同第一係止部及び第一係合部の部分の側面断面図である。
【図８】  同第二係止部及び第二係合部の部分の正面断面図である。
【図９】  同図７のＢ−Ｂ線断面図である。
【図１０】  同図８のＣ−Ｃ線断面図である。
【図１１】  同第一係合部を第一係止部から外した状態を示す容器の側面断面図である。
【図１２】  同第二係合部を第二係止部から外した状態を示す容器の正面断面図である。
【図１３】  同第一係合部、第二係合部を第一係止部、第二係止部から外した状態を示す容器の平面断面図である。
【図１４】  同第一係合部を第一係止部から外した状態を示す容器の平面断面図である。
【図１５】  同第二係合部を第二係止部から外した状態を示す容器の平面断面図である。
【図１６】  他の実施形態を示す外装容器体の半欠斜視断面図である。
【図１７】  他の実施形態を示す外装容器体の半欠斜視断面図である。
【図１８】  他の実施形態を示す第一係止部及び第一係合部の部分の側面断面図である。
【図１９】  他の実施形態を示す第二係止部及び第二係合部の部分の正面断面図である。
【図２０】  他の実施形態を示す第二係止部及び第二係合部の部分の正面断面図である。
【図２１】  他の実施形態を示す第一係止部及び第一係合部の部分の側面断面図である。
【図２２】  他の実施形態を示す第一係止部及び第一係合部の部分の側面断面図である。
【図２３】  従来例を示す容器の断面図である。
【符号の説明】
１      内容器体
２      外装容器体
５      開口
１０      開口
１１      環状突出部
１２      環状外嵌部
１３      鍔体
１５      第一係止部
１６      第二係止部
１９      第一係合部
２０      第二係合部
２６      間隙
【図１】
0003930630.tif 000002
【図２】
0003930630.tif 000003
【図３】
0003930630.tif 000004
【図４】
0003930630.tif 000005
【図５】
0003930630.tif 000006
【図６】
0003930630.tif 000007
【図７】
0003930630.tif 000008
【図８】
0003930630.tif 000009
【図９】
0003930630.tif 000010
【図１０】
0003930630.tif 000011
【図１１】
0003930630.tif 000012
【図１２】
0003930630.tif 000013
【図１３】
0003930630.tif 000014
【図１４】
0003930630.tif 000015
【図１５】
0003930630.tif 000016
【図１６】
0003930630.tif 000017
【図１７】
0003930630.tif 000018
【図１８】
0003930630.tif 000019
【図１９】
0003930630.tif 000020
【図２０】
0003930630.tif 000021
【図２１】
0003930630.tif 000022
【図２２】
0003930630.tif 000023
【図２３】
0003930630.tif 000024